(57)【要約】【課題】通常の特別遊技となるか高純増特別遊技となるかの決定を、ストップスイッチの操作タイミングに関係づけて行うことを可能とし、目押しの技量のない遊技者を救済する。【解決手段】複数ライン許可抽選の結果、複数ライン不許可となった場合であって、当選図柄の配列を同時成立させることが可能なタイミングでストップスイッチの操作が行われなかった場合には、そのようなタイミングでストップスイッチの操作が行われたにもかかわらず複数の入賞有効ライン上に特別遊技に係る当選図柄の配列を同時成立させることができなかった場合よりも高い抽選確率で、高純増特別遊技を開始するか否かの抽選を行う。【選択図】図８
2006320743.tif 000002
【特許請求の範囲】
【請求項１】
周囲に複数の図柄を表示した複数の回転リールと、
前記各回転リールの回転を開始させるためのスタートスイッチと、
前記各回転リールの回転を停止させるためのストップスイッチと、
所定確率で当選役の抽選を行うための当選抽選手段と、
前記当選抽選手段による抽選の結果、所定の当選役に当選し、複数の前記回転リールをすべて停止させた状態で、正面側から視認可能な複数の図柄が、入賞有効ライン上に配列することにより入賞となるようにした遊技制御装置とを少なくとも備え、
遊技として、通常遊技と、特定の入賞あるいは抽選結果に基づいて開始する特別遊技とを少なくとも備える遊技機において、
前記特別遊技として、通常特別遊技と、通常特別遊技よりも大きな利益を遊技者に付与可能な高純増特別遊技とを設け、
前記当選抽選手段の抽選とは別個に、複数の入賞有効ライン上に特別遊技に係る当選図柄の配列を同時成立させるか否かの抽選を行う複数ライン許可抽選手段を設け、
前記高純増特別遊技は、前記当選抽選手段の抽選の結果特別遊技に当選し、前記複数ライン許可抽選手段の抽選の結果が、複数ライン許可となり、かつ、前記ストップスイッチの操作により、複数の入賞有効ライン上に特別遊技に係る当選図柄の配列が同時成立した場合に開始されるとともに、
前記複数ライン許可抽選手段が行った抽選の結果が複数ライン不許可となり、若しくは、前記ストップスイッチの操作により複数の入賞有効ライン上に特別遊技に係る当選図柄の配列を同時成立させられない場合に、前記高純増特別遊技を開始するか否かの抽選を行う高純増移行抽選手段を設け、
前記高純増移行抽選手段は、
前記複数ライン許可抽選手段が第一の抽選確率にて行った抽選の結果が複数ライン不許可となり、若しくは、前記ストップスイッチの操作により複数の入賞有効ライン上に特別遊技に係る当選図柄の配列を同時成立させられない場合に、前記高純増特別遊技を開始するか否かの抽選を第二の抽選確率にて行うものであり、
さらに前記高純増移行抽選手段は、前記複数ライン許可抽選手段が行った抽選の結果が複数ライン不許可となったことにより、前記ストップスイッチの操作によって複数の入賞有効ライン上に特別遊技に係る当選図柄の配列を同時成立させられない場合であって、複数の入賞有効ライン上に特別遊技に係る当選図柄の配列を同時成立させることが可能なタイミングで前記ストップスイッチの操作が行われなかった場合には、複数の入賞有効ライン上に特別遊技に係る当選図柄の配列を同時成立させることが可能なタイミングで前記ストップスイッチの操作が行われたにもかかわらず複数の入賞有効ライン上に特別遊技に係る当選図柄の配列を同時成立させることができなかった場合よりも高い抽選確率で、前記高純増特別遊技を開始するか否かの抽選を行い、
特別図柄に係る当選図柄の配列が単一の入賞有効ライン上に成立する場合でも、所定の確率で高純増特別遊技を開始可能としたことを特徴とする遊技機。
【請求項２】
遊技機を、
複数の図柄を変動表示又は停止表示させるための図柄表示手段、
前記図柄表示手段の表示を変動表示させるための図柄変動開始手段、
前記図柄表示手段の表示を停止表示させるための図柄変動停止手段、
当選役の抽選を行うための当選抽選手段、
前記当選抽選手段による抽選の結果、所定の当選役に当選し、複数の前記図柄表示手段をすべて停止表示させた状態で、正面側から視認可能な複数の図柄が、入賞有効ライン上に配列することにより入賞となるようにした遊技制御手段、
通常遊技を制御するための通常遊技制御手段、
特定の入賞あるいは抽選結果に基づいて開始する特別遊技を制御するための特別遊技制御手段、
前記特別遊技において、通常特別遊技を制御するための通常特別遊技制御手段、
複数の入賞有効ライン上に特別遊技に係る当選図柄の配列を同時成立させるか否かの抽選を行う複数ライン許可抽選手段、
前記複数ライン許可抽選手段が第一の抽選確率にて行った抽選の結果が複数ライン不許可となり、若しくは、前記図柄変動停止手段の操作により複数の入賞有効ライン上に特別遊技に係る当選図柄の配列を同時成立させられない場合に、前記高純増特別遊技を開始するか否かの抽選を第二の抽選確率にて行うものであり、前記複数ライン許可抽選手段が行った抽選の結果が複数ライン不許可となったことにより、前記図柄変動停止手段の操作によって複数の入賞有効ライン上に特別遊技に係る当選図柄の配列を同時成立させられない場合であって、複数の入賞有効ライン上に特別遊技に係る当選図柄の配列を同時成立させることが可能なタイミングで前記図柄変動停止手段の操作が行われなかった場合には、複数の入賞有効ライン上に特別遊技に係る当選図柄の配列を同時成立させることが可能なタイミングで前記図柄変動停止手段の操作が行われたにもかかわらず複数の入賞有効ライン上に特別遊技に係る当選図柄の配列を同時成立させることができなかった場合よりも高い抽選確率で、前記高純増特別遊技を開始するか否かの抽選を行う高純増移行抽選手段、
及び、前記特別遊技において、通常特別遊技よりも大きな利益を遊技者に付与可能な遊技であり、当選抽選手段の抽選の結果特別遊技に当選し、前記複数ライン許可抽選手段の抽選の結果が、複数ライン許可となり、かつ、前記図柄変動停止手段の操作により、複数の入賞有効ライン上に特別遊技に係る当選図柄の配列が同時成立した場合に開始されるともに、特別図柄に係る当選図柄の配列が単一の入賞有効ライン上に成立する場合でも、所定の確率で開始可能な高純増特別遊技を制御するための高純増特別遊技制御手段として機能させるための遊技機用プログラム。
【請求項３】
遊技機を、
複数の図柄を変動表示又は停止表示させるための図柄表示手段、
前記図柄表示手段の表示を変動表示させるための図柄変動開始手段、
前記図柄表示手段の表示を停止表示させるための図柄変動停止手段、
当選役の抽選を行うための当選抽選手段、
前記当選抽選手段による抽選の結果、所定の当選役に当選し、複数の前記図柄表示手段をすべて停止表示させた状態で、正面側から視認可能な複数の図柄が、入賞有効ライン上に配列することにより入賞となるようにした遊技制御手段、
通常遊技を制御するための通常遊技制御手段、
特定の入賞あるいは抽選結果に基づいて開始する特別遊技を制御するための特別遊技制御手段、
前記特別遊技において、通常特別遊技を制御するための通常特別遊技制御手段、
複数の入賞有効ライン上に特別遊技に係る当選図柄の配列を同時成立させるか否かの抽選を行う複数ライン許可抽選手段、
前記複数ライン許可抽選手段が第一の抽選確率にて行った抽選の結果が複数ライン不許可となり、若しくは、前記図柄変動停止手段の操作により複数の入賞有効ライン上に特別遊技に係る当選図柄の配列を同時成立させられない場合に、前記高純増特別遊技を開始するか否かの抽選を第二の抽選確率にて行うものであり、前記複数ライン許可抽選手段が行った抽選の結果が複数ライン不許可となったことにより、前記図柄変動停止手段の操作によって複数の入賞有効ライン上に特別遊技に係る当選図柄の配列を同時成立させられない場合であって、複数の入賞有効ライン上に特別遊技に係る当選図柄の配列を同時成立させることが可能なタイミングで前記図柄変動停止手段の操作が行われなかった場合には、複数の入賞有効ライン上に特別遊技に係る当選図柄の配列を同時成立させることが可能なタイミングで前記図柄変動停止手段の操作が行われたにもかかわらず複数の入賞有効ライン上に特別遊技に係る当選図柄の配列を同時成立させることができなかった場合よりも高い抽選確率で、前記高純増特別遊技を開始するか否かの抽選を行う高純増移行抽選手段、
及び、前記特別遊技において、通常特別遊技よりも大きな利益を遊技者に付与可能な遊技であり、当選抽選手段の抽選の結果特別遊技に当選し、前記複数ライン許可抽選手段の抽選の結果が、複数ライン許可となり、かつ、前記図柄変動停止手段の操作により、複数の入賞有効ライン上に特別遊技に係る当選図柄の配列が同時成立した場合に開始されるともに、特別図柄に係る当選図柄の配列が単一の入賞有効ライン上に成立する場合でも、所定の確率で開始可能な高純増特別遊技を制御するための高純増特別遊技制御手段として機能させるための遊技機用プログラムを記録したコンピュータ読み取り可能な記録媒体。
【発明の詳細な説明】
【技術分野】
【０００１】
この発明は、特別遊技の当選図柄の停止位置態様及び抽選結果に基づいて、高純増特別遊技を開始可能に形成した遊技機に関する。
【背景技術】
【０００２】
従来、この種の遊技機、例えばスロットマシンにおいては、いわゆるビッグボーナスゲーム（以下ＢＢゲームという）等の特別遊技中、所定の当選図柄について、当選役の抽選結果に関する情報を報知装置により報知する遊技等の、遊技者に大きな利益を与える可能性のある遊技（以下高純増特別遊技という）を備えているものが知られている。例えば、特許文献１に示すように、当選図柄を遊技者に報知したり、入賞するために好適なストップスイッチの押し順やタイミングを報知するものである。このような遊技機では、高純増特別遊技が開始されると、遊技者は大量のメダル獲得が可能になる。
そして、従来の遊技機では、特別遊技を、通常の特別遊技とするか、高純増特別遊技とするかは、抽選により決定されていた。これは、高純増特別遊技は、遊技者には有利な反面、ホール側にとっては頻繁に行われると営業上好ましくない遊技ともなるので、確率で振り分けることにより、ある程度の実行頻度を維持させるためである。
【特許文献１】特開２００２−５２１３７号公報（段落０１１５）
【発明の開示】
【発明が解決しようとする課題】
【０００３】
しかし、上記した従来の遊技機では、通常の特別遊技となるか高純増特別遊技となるかは、偶然性によるものとなり、遊技者の技量が関与しないので、面白くないと感じる遊技者もいた。
そのため、通常の特別遊技となるか高純増特別遊技となるかを、遊技者の技量に関係づけて決定可能とすることが求められる。
一方、遊技者の技量のみにより前記決定を行うと、技量の優れた遊技者とそうでない遊技者とのあいだで、不均衡が生じ好ましくない。
そこで、各請求項にそれぞれ記載された各発明は、上記した従来の技術の有する問題点に鑑みてなされたものであり、その目的とするところは、次の点にある。
【０００４】
すなわち、請求項１記載の発明は、通常の特別遊技となるか高純増特別遊技となるかの決定を、遊技者の技量、特にストップスイッチの操作タイミング、いわゆる目押しの技量に関係づけて行うことが可能であり、通常の特別遊技となるか高純増特別遊技となるかについて、遊技者の目押しの技量に偶然性も加味した決定が可能な遊技機を提供することを目的とする。具体的には、運が悪く、あるいは目押しの技量もない遊技者であっても、高純増特別遊技を開始することができ、目押しの技量が優れた遊技者も、運が悪いと高純増特別遊技を開始できないようにするとともに、目押しの技量のない遊技者を救済する遊技機を提供することを目的とする。
【０００５】
また、請求項２又は３記載の発明は、上記した請求項１記載の発明の目的を達成することができる遊技機用プログラムを提供し、又は前記遊技機用プログラムを記録したコンピュータ読み取り可能な記録媒体を提供することを目的とする。
【課題を解決するための手段】
【０００６】
各請求項にそれぞれ記載された各発明は、上記した各目的を達成するためになされたものであり、各発明の特徴点を図面に示した発明の実施の形態を用いて、以下に説明する。
なお、符号及び図面番号は、発明の実施の形態において用いた符号及び番号を示し、本発明の技術的範囲を限定するものではない。
（請求項１）
（特徴点）
請求項１記載の発明は、次の点を特徴とする。
すなわち、請求項１記載の発明は、周囲に複数の図柄61を表示した複数の回転リール40と、前記各回転リール40の回転を開始させるためのスタートスイッチ30と、前記各回転リール40の回転を停止させるためのストップスイッチ50と、所定確率で当選役の抽選を行うための当選抽選手段110と、前記当選抽選手段110による抽選の結果、所定の当選役に当選し、複数の前記回転リール40をすべて停止させた状態で、正面側から視認可能な複数の図柄61が、入賞有効ライン上に配列することにより入賞となるようにした遊技制御装置21とを少なくとも備え、遊技として、通常遊技と、特定の入賞あるいは抽選結果に基づいて開始する特別遊技とを少なくとも備える遊技機に係る。
【０００７】
前記遊技機には、前記特別遊技として、通常特別遊技と、通常特別遊技よりも大きな利益を遊技者に付与可能な高純増特別遊技とを設け、前記当選抽選手段110の抽選とは別個に、複数の入賞有効ライン上に特別遊技に係る当選図柄の配列を同時成立させるか否かの抽選を行う複数ライン許可抽選手段130を設け、前記高純増特別遊技は、前記当選抽選手段110の抽選の結果特別遊技に当選し、前記複数ライン許可抽選手段130の抽選の結果が、複数ライン許可となり、かつ、前記ストップスイッチの操作により、複数の入賞有効ライン上に特別遊技に係る当選図柄の配列が同時成立した場合に開始される用に形成されている。
【０００８】
そして、前記複数ライン許可抽選手段130が行った抽選の結果が複数ライン不許可となり、若しくは、前記ストップスイッチ50の操作により複数の入賞有効ライン上に特別遊技に係る当選図柄の配列を同時成立させられない場合に、前記高純増特別遊技を開始するか否かの抽選を行う高純増移行抽選手段160を設けてある。そして、この高純増移行抽選手段160は、前記複数ライン許可抽選手段130が第一の抽選確率にて行った抽選の結果が複数ライン不許可となり、若しくは、前記ストップスイッチ50の操作により複数の入賞有効ライン上に特別遊技に係る当選図柄の配列を同時成立させられない場合に、前記高純増特別遊技を開始するか否かの抽選を第二の抽選確率にて行うものである。
【０００９】
さらに前記高純増移行抽選手段は、前記複数ライン許可抽選手段が行った抽選の結果が複数ライン不許可となったことにより、前記ストップスイッチの操作によって複数の入賞有効ライン上に特別遊技に係る当選図柄の配列を同時成立させられない場合であって、複数の入賞有効ライン上に特別遊技に係る当選図柄の配列を同時成立させることが可能なタイミングで前記ストップスイッチの操作が行われなかった場合には、複数の入賞有効ライン上に特別遊技に係る当選図柄の配列を同時成立させることが可能なタイミングで前記ストップスイッチの操作が行われたにもかかわらず複数の入賞有効ライン上に特別遊技に係る当選図柄の配列を同時成立させることができなかった場合よりも高い抽選確率で、前記高純増特別遊技を開始するか否かの抽選を行い、特別図柄に係る当選図柄の配列が単一の入賞有効ライン上に成立する場合でも、所定の確率で高純増特別遊技を開始可能としたことを特徴とする。
【００１０】
本発明は、スロットマシンなどの遊技機に適したものである。
ここで、入賞有効ラインとは、入賞するために有効な図柄61の並びを示すラインであって、正面側から視認可能な位置に、このライン上に当選役に係る図柄（以下当選図柄という）が揃うように、複数の回転リール40を停止させると、入賞となるものである。具体的には、図２に示すＬ１乃至Ｌ５で示したラインであり、どのラインが入賞有効ラインとなるかは、投入したメダルの枚数等、所定条件により異なる。
本発明に係る遊技機は、遊技として、通常遊技と特別遊技を有している。
前記特別遊技は、特定の入賞あるいは抽選結果に基づいて開始する遊技であり、通常遊技よりも大きな利益を遊技者に付与可能な機会を与えるものである。具体的には、いわゆるボーナスゲームと言われるものであり、例えばビッグボーナスゲーム（ＢＢゲーム）やレギュラーボーナスゲーム（ＲＢゲーム）等を含む。
【００１１】
なお、「抽選結果に基づいて開始」とは、入賞の有無に関わらず、当選抽選手段110の当選結果や、特別遊技を行うか否かの抽選結果に基づいて開始されるような場合のことを言う。
そして、前記特別遊技には、通常特別遊技と、高純増特別遊技とがある。
通常特別遊技とは、通常行われる特別遊技であって、いわゆるノーマルＢＢゲームといわれるものである。一方、高純増特別遊技は、通常特別遊技よりも大きな利益を遊技者に付与可能な、いわゆるスーパーＢＢゲームといわれるものである。
高純増特別遊技としては、例えば、所定の確率及び方法により、当選抽選手段110の抽選結果に関する報知が行われる遊技や、特定の当選役、例えばメダル投入無しでも遊技が行える「再遊技」の当選確率を高く設定した遊技などであり、入賞による払い出しメダルが増加したり、あるいは投入メダルを減らすことにより相対的払い出しメダルが増加する可能性のある遊技が挙げられる。
【００１２】
本発明においては、前記高純増特別遊技は、特別遊技に係る当選図柄の配列が、複数の前記入賞有効ライン上に同時成立可能な場合に開始可能である。
ここで、「特別遊技に係る当選図柄の配列が、複数の前記入賞有効ライン上に同時成立」した状態とは、特別遊技に係る当選図柄、例えばセブンが、例えば図６に示すような配列になるように、回転リール40が停止した状態である。そして、「同時成立する場合」とは、ストップスイッチ50の操作により、現実にそのように回転リール40を停止できたときのみならず、回転リール40はすべて停止していないが、そのような配列に図柄を停止させる可能性がある場合、いわゆるテンパイの状態や、テンパイの状態で、最後に停止する回転リール40に対応するストップスイッチ50が操作されたとき等も含まれる。
【００１３】
また、本発明では、特別遊技に係る当選図柄の配列が単一の入賞有効ライン上に成立する場合でも、前記高純増特別遊技が開始されるようにしたものである。
ここで、「特別遊技に係る当選図柄の配列が、単一の入賞有効ライン上に成立する場合」とは、特別遊技に係る当選図柄、例えばセブンが、例えば図７（Ａ）に示すような配列になるように、回転リール40が停止した場合のみならず、そのように停止する可能性がある場合も含む。
さらに、本発明は、特別遊技を高純増特別遊技とするか否かの抽選と、ストップスイッチ50の操作位置とを組み合わせて、高純増特別遊技の開始を決定するものである。
【００１４】
前記複数ライン許可抽選手段130は、複数の入賞有効ライン上に特別遊技に係る当選図柄の配列を同時成立させるか否かの抽選を行うものであり、特別遊技を高純増特別遊技とするか否かの抽選と同義である。すなわち、抽選結果が「複数ライン許可」の場合には高純増特別遊技が開始可能となり、抽選結果が「複数ライン不許可」の場合には通常特別遊技が開始可能となる。ただし、所定の確率で、「複数ライン不許可」の場合でも高純増特別遊技が開始可能とすることができる。
そして、本発明においては、前記複数ライン許可抽選手段130の抽選結果が「複数ライン許可」の場合であって、かつ、ストップスイッチ50の操作により、複数の入賞有効ライン上に特別遊技に係る当選図柄の配列を同時成立可能な場合に、高純増特別遊技が開始可能である。
【００１５】
さらに、本発明は、特別遊技を高純増特別遊技とするか否かの複数回の抽選と、ストップスイッチ50の操作位置とにより、高純増特別遊技の開始を決定するものである。
ここで、「・・・図柄の配列を同時成立させられない場合」とは、現実に、複数の入賞有効ライン上に特別遊技に係る当選図柄を例えば図６に示すような配列となるよう回転リール40を停止させられなかった場合のみならず、そのように停止させることが明らかに不可能な場合も含む。
そして、前記高純増移行抽選手段160は、複数ライン許可抽選手段130が行った抽選の結果が複数ライン不許可となり、若しくは、前記ストップスイッチ50の操作により複数の入賞有効ライン上に特別遊技に係る当選図柄の配列を同時成立させられないが、特別当選に係る当選図柄の配列が、単一の入賞有効ライン上に成立する場合には、高純増特別遊技を開始するか否かの抽選を行うものである。
【００１６】
加えて、高純増移行抽選手段160は、複数ライン許可抽選手段130が第一の抽選確率にて行った抽選の結果が複数ライン不許可となり、若しくは、前記ストップスイッチ50の操作により複数の入賞有効ライン上に特別遊技に係る当選図柄の配列を同時成立させられない場合に、高純増特別遊技を開始するか否かの抽選を第二の抽選確率で行うものである。
ここで、「第一の抽選確率」と、「第二の抽選確率」とは、高純増特別遊技が当選する確率が同一であっても異なっていてもよいが、二回の抽選を行うことにより、結果として、第一の抽選確率とも第二の抽選確率とも異なる確率で、高純増特別遊技を開始可能とする意味である。
【００１７】
（作用）
本発明においては、当選抽選手段110の抽選の結果、特別遊技、例えばＢＢゲームに当選し、当該当選図柄、例えばセブンが、図６に示すように、複数の入賞有効ライン上に同時成立するように、複数の回転リール40を停止させられた場合あるいは停止させられる可能性がある場合に、高純増特別遊技が開始可能となる。このように図柄61を停止させられなかった場合、例えば、図７（Ａ）に示すような配列に停止した場合には、通常特別遊技が開始される。
本発明によれば、例えば、特別遊技に係る当選図柄の配列が複数の入賞有効ライン上に同時成立するような図柄の並びは極めて少なくなるように各回転リール40の図柄61の並び順を設定しておくことにより、遊技者の目押しの技量が優れているほど、高純増特別遊技が開始されやすくすることができる。
【００１８】
また本発明によれば、当選抽選手段110の抽選の結果、特別遊技、例えばＢＢゲームに当選し、当該当選図柄、例えばセブンが、図６に示すように、複数の入賞有効ライン上に同時成立するように、複数の回転リール40を停止させられた場合に、高純増特別遊技が開始され、このように停止させられなかった場合でも、所定の確率で高純増特別遊技が開始される。
さらに本発明によれば、例えば、複数ライン許可抽選手段130の抽選結果が「複数ライン許可」であっても、ストップスイッチ50の操作位置により高純増特別遊技が開始されない場合もある。従って、単純に複数ライン許可抽選のみで高純増特別遊技の有無を決定する場合に比べ、遊技者の技量が関与する余地が生まれ、遊技に対する関心を高めることができる。
【００１９】
そして本発明によれば、高純増移行抽選手段160の抽選結果が「高純増特別遊技を開始」の場合には高純増特別遊技が行われ、「高純増特別遊技を開始しない」の場合には通常特別遊技が行われる。
従って、運が悪く抽選にはずれたか、目押しの技量が無く複数の入賞有効ライン上に当選図柄を停止させられなかったかのいずれかに該当しても、高純増特別遊技を開始可能である。
さらに、前記前記複数ライン許可抽選手段130の抽選に基づいて高純増特別遊技が開始されないこととなっても、遊技者の目押しの技量により高純増移行抽選手段160の抽選に基づいて高純増特別遊技が開始可能となる。
【００２０】
また本発明によれば、前記前記複数ライン許可抽選手段130の第一の抽選確率に基づいて高純増特別遊技が開始されないこととなっても、遊技者の目押しの技量により高純増移行抽選手段160の第二の抽選確率に基づいて高純増特別遊技が開始可能となるので、前記第一の抽選確率を変えなくても、第二の抽選確率の設定を調節することにより、結果として第一の抽選確率が変わったような現象を作り出すことが可能である。すなわち、複数ライン許可抽選手段130の抽選確率は、いわば見せかけの確率となるので、通常特別遊技となるか高純増特別遊技となるかについて遊技者が予見した確率と異なる確率で、高純増特別遊技が開始される場合もある。従って、遊技の意外性を高め、遊技者の期待感を高めるものとすることができる。
【００２１】
なお、前記遊技機に、前記当選抽選の結果に関する情報を報知可能な当選報知手段を少なくとも有する演出制御装置を設け、前記高純増特別遊技は、所定の当選図柄についての前記当選抽選手段の抽選結果に関する情報を、前記当選報知手段により報知する遊技とすることができる。
また、前記遊技機に遊技を制御するための主制御装置と、前記主制御装置からの遊技に関する信号を受信して作動する副制御装置とを設け、前記高純増移行抽選手段160を、前記副制御装置に配置することができる。
（請求項２）
（特徴点）
請求項２記載の発明は、次の点を特徴とする。
【００２２】
すなわち、請求項２記載の発明は、遊技機を、複数の図柄を変動表示又は停止表示させるための図柄表示手段、前記図柄表示手段の表示を変動表示させるための図柄変動開始手段、前記図柄表示手段の表示を停止表示させるための図柄変動停止手段、当選役の抽選を行うための当選抽選手段、前記当選抽選手段による抽選の結果、所定の当選役に当選し、複数の前記図柄表示手段をすべて停止表示させた状態で、正面側から視認可能な複数の図柄が、入賞有効ライン上に配列することにより入賞となるようにした遊技制御手段、通常遊技を制御するための通常遊技制御手段、特定の入賞あるいは抽選結果に基づいて開始する特別遊技を制御するための特別遊技制御手段、前記特別遊技において、通常特別遊技を制御するための通常特別遊技制御手段、複数の入賞有効ライン上に特別遊技に係る当選図柄の配列を同時成立させるか否かの抽選を行う複数ライン許可抽選手段、前記複数ライン許可抽選手段が第一の抽選確率にて行った抽選の結果が複数ライン不許可となり、若しくは、前記図柄変動停止手段の操作により複数の入賞有効ライン上に特別遊技に係る当選図柄の配列を同時成立させられない場合に、前記高純増特別遊技を開始するか否かの抽選を第二の抽選確率にて行うものであり、前記複数ライン許可抽選手段が行った抽選の結果が複数ライン不許可となったことにより、前記図柄変動停止手段の操作によって複数の入賞有効ライン上に特別遊技に係る当選図柄の配列を同時成立させられない場合であって、複数の入賞有効ライン上に特別遊技に係る当選図柄の配列を同時成立させることが可能なタイミングで前記図柄変動停止手段の操作が行われなかった場合には、複数の入賞有効ライン上に特別遊技に係る当選図柄の配列を同時成立させることが可能なタイミングで前記図柄変動停止手段の操作が行われたにもかかわらず複数の入賞有効ライン上に特別遊技に係る当選図柄の配列を同時成立させることができなかった場合よりも高い抽選確率で、前記高純増特別遊技を開始するか否かの抽選を行う高純増移行抽選手段、及び、前記特別遊技において、通常特別遊技よりも大きな利益を遊技者に付与可能な遊技であり、当選抽選手段の抽選の結果特別遊技に当選し、前記複数ライン許可抽選手段の抽選の結果が、複数ライン許可となり、かつ、前記図柄変動停止手段の操作により、複数の入賞有効ライン上に特別遊技に係る当選図柄の配列が同時成立した場合に開始されるともに、特別図柄に係る当選図柄の配列が単一の入賞有効ライン上に成立する場合でも、所定の確率で開始可能な高純増特別遊技を制御するための高純増特別遊技制御手段として機能させるための遊技機用プログラムである。
【００２３】
ここで、遊技機としては、スロットマシンなどの現実の遊技機でもよく、液晶ディスプレイやＣＲＴなどの画像表示装置に表示させた擬似的な遊技機であってもよい。
また、前記図柄表示手段を、周囲に複数の図柄61を表示した回転リール40とし、この回転リール40の回転を制御するように形成することができる。この場合、前記図柄変動開始手段は、回転リール40の回転を開始させるためのスタートスイッチ30とすることができ、前記図柄変動停止手段は、回転リール40の回転を停止させるためのストップスイッチ50とすることができる。
あるいは、前記図柄表示手段を、液晶ディスプレイやＣＲＴなどの画像表示装置とし、これに複数の図柄を変動表示又は停止表示させるように形成してもよい。
【００２４】
前記遊技制御手段は、この遊技機用プログラムを用いて現実の遊技機を制御しようとする場合には、ホッパーユニット65を作動させて遊技者に対してメダル等対価の払い出しを行うように形成することができる。一方、この遊技機用プログラムを用いて業務用、家庭用のテレビゲーム機等を制御しようとする場合には、液晶ディスプレイやＣＲＴなどの画像表示装置に、入賞時にメダルの払い出しがなされるような画像や、手持ちの遊技メダル数が増加するような表示や、所定の得点が加算されるような表示を行うように形成することができる。
このように、本発明は、現実の遊技機を制御するためのプログラムと、業務用、家庭用のテレビゲーム機等に読み込まれることによりそれらを遊技機として機能させるためのプログラムとの双方を含むものである。
【００２５】
（作用）
本発明においては、当選抽選手段110の抽選の結果、特別遊技、例えばＢＢゲームに当選し、当該当選図柄、例えばセブンが、図６に示すように、複数の入賞有効ライン上に同時成立するように、複数の回転リール40を停止させられた場合あるいは停止させられる可能性がある場合に、高純増特別遊技が開始可能となる。このように図柄61を停止させられなかった場合、例えば、図７（Ａ）に示すような配列に停止した場合には、通常特別遊技が開始される。
本発明によれば、例えば、特別遊技に係る当選図柄の配列が複数の入賞有効ライン上に同時成立するような図柄の並びは極めて少なくなるように各回転リール40の図柄61の並び順を設定しておくことにより、遊技者の目押しの技量が優れているほど、高純増特別遊技が開始されやすくなる。
【００２６】
また本発明によれば、当選抽選手段110の抽選の結果、特別遊技、例えばＢＢゲームに当選し、当該当選図柄、例えばセブンが、図６に示すように、複数の入賞有効ライン上に同時成立するように、複数の回転リール40を停止させられた場合に、高純増特別遊技が開始され、このように停止させられなかった場合でも、所定の確率で高純増特別遊技が開始される。
さらに本発明によれば、例えば、複数ライン許可抽選手段130の抽選結果が「複数ライン許可」であっても、ストップスイッチ50の操作位置により高純増特別遊技が開始されない場合もある。従って、単純に複数ライン許可抽選のみで高純増特別遊技の有無を決定する場合に比べ、遊技者の技量が関与する余地が生まれ、遊技に対する関心を高めることができる。
【００２７】
そして本発明によれば、高純増移行抽選手段160の抽選結果が「高純増特別遊技を開始」の場合には高純増特別遊技が行われ、「高純増特別遊技を開始しない」の場合には通常特別遊技が行われる。
従って、運が悪く抽選にはずれたか、目押しの技量が無く複数の入賞有効ライン上に当選図柄を停止させられなかったかのいずれかに該当しても、高純増特別遊技を開始可能である。
さらに、前記前記複数ライン許可抽選手段130の抽選に基づいて高純増特別遊技が開始されないこととなっても、遊技者の目押しの技量により高純増移行抽選手段160の抽選に基づいて高純増特別遊技が開始可能となる。
【００２８】
また本発明によれば、前記前記複数ライン許可抽選手段130の第一の抽選確率に基づいて高純増特別遊技が開始されないこととなっても、遊技者の目押しの技量により高純増移行抽選手段160の第二の抽選確率に基づいて高純増特別遊技が開始可能となるので、前記第一の抽選確率を変えなくても、第二の抽選確率の設定を調節することにより、結果として第一の抽選確率が変わったような現象を作り出すことが可能である。すなわち、複数ライン許可抽選手段130の抽選確率は、いわば見せかけの確率となるので、通常特別遊技となるか高純増特別遊技となるかについて遊技者が予見した確率と異なる確率で、高純増特別遊技が開始される場合もある。従って、遊技の意外性を高め、遊技者の期待感を高めるものとすることができる。
【００２９】
なお、前記遊技機に、前記当選抽選の結果に関する情報を報知可能な当選報知手段を少なくとも有する演出制御装置を設け、前記高純増特別遊技は、所定の当選図柄についての前記当選抽選手段の抽選結果に関する情報を、前記当選報知手段により報知する遊技とすることができる。
また、前記遊技機に遊技を制御するための主制御装置と、前記主制御装置からの遊技に関する信号を受信して作動する副制御装置とを設け、前記高純増移行抽選手段160を、前記副制御装置に配置することができる。
（請求項３）
（特徴点）
請求項３記載の発明は、次の点を特徴とする。
【００３０】
すなわち、請求項３記載の発明は、遊技機を、複数の図柄を変動表示又は停止表示させるための図柄表示手段、前記図柄表示手段の表示を変動表示させるための図柄変動開始手段、前記図柄表示手段の表示を停止表示させるための図柄変動停止手段、当選役の抽選を行うための当選抽選手段、前記当選抽選手段による抽選の結果、所定の当選役に当選し、複数の前記図柄表示手段をすべて停止表示させた状態で、正面側から視認可能な複数の図柄が、入賞有効ライン上に配列することにより入賞となるようにした遊技制御手段、通常遊技を制御するための通常遊技制御手段、特定の入賞あるいは抽選結果に基づいて開始する特別遊技を制御するための特別遊技制御手段、前記特別遊技において、通常特別遊技を制御するための通常特別遊技制御手段、複数の入賞有効ライン上に特別遊技に係る当選図柄の配列を同時成立させるか否かの抽選を行う複数ライン許可抽選手段、前記複数ライン許可抽選手段が第一の抽選確率にて行った抽選の結果が複数ライン不許可となり、若しくは、前記図柄変動停止手段の操作により複数の入賞有効ライン上に特別遊技に係る当選図柄の配列を同時成立させられない場合に、前記高純増特別遊技を開始するか否かの抽選を第二の抽選確率にて行うものであり、前記複数ライン許可抽選手段が行った抽選の結果が複数ライン不許可となったことにより、前記図柄変動停止手段の操作によって複数の入賞有効ライン上に特別遊技に係る当選図柄の配列を同時成立させられない場合であって、複数の入賞有効ライン上に特別遊技に係る当選図柄の配列を同時成立させることが可能なタイミングで前記図柄変動停止手段の操作が行われなかった場合には、複数の入賞有効ライン上に特別遊技に係る当選図柄の配列を同時成立させることが可能なタイミングで前記図柄変動停止手段の操作が行われたにもかかわらず複数の入賞有効ライン上に特別遊技に係る当選図柄の配列を同時成立させることができなかった場合よりも高い抽選確率で、前記高純増特別遊技を開始するか否かの抽選を行う高純増移行抽選手段、及び、前記特別遊技において、通常特別遊技よりも大きな利益を遊技者に付与可能な遊技であり、当選抽選手段の抽選の結果特別遊技に当選し、前記複数ライン許可抽選手段の抽選の結果が、複数ライン許可となり、かつ、前記図柄変動停止手段の操作により、複数の入賞有効ライン上に特別遊技に係る当選図柄の配列が同時成立した場合に開始されるともに、特別図柄に係る当選図柄の配列が単一の入賞有効ライン上に成立する場合でも、所定の確率で開始可能な高純増特別遊技を制御するための高純増特別遊技制御手段として機能させるための遊技機用プログラムを記録したコンピュータ読み取り可能な記録媒体である。
【００３１】
本発明は、請求項２記載の遊技機用プログラムを記録したコンピュータ読み取り可能な記録媒体である。
本発明によれば、請求項２記載の発明と同様の作用効果を得ることができる。
【発明の効果】
【００３２】
本発明は、以上のように構成されているので、以下のような効果を奏する。
すなわち、請求項１記載の発明によれば、通常の特別遊技となるか高純増特別遊技となるかの決定を、遊技者の技量、特にストップスイッチの操作タイミング、いわゆる目押しの技量に関係づけて行うことが可能であり、通常の特別遊技となるか高純増特別遊技となるかについて、遊技者の目押しの技量に偶然性も加味した決定が可能な遊技機を提供することができる。具体的には、運が悪く、あるいは目押しの技量もない遊技者であっても、高純増特別遊技を開始することができ、目押しの技量が優れた遊技者も、運が悪いと高純増特別遊技を開始できないようにするとともに、目押しの技量のない遊技者を救済することができる。
【００３３】
また、請求項２又は３記載の発明によれば、上記した請求項１記載の発明の目的を達成することができる遊技機用プログラムを提供し、又は前記遊技機用プログラムを記録したコンピュータ読み取り可能な記録媒体を提供することができる。
【発明を実施するための最良の形態】
【００３４】
以下、本発明を表す好適な実施の形態を、遊技機としてスロットマシンを用い、図面に基づき説明する。
（図面の説明）
図１乃至図８は、本発明の実施の形態を示すものである。
図１はスロットマシンの入力、制御及び出力のブロック図、図２はスロットマシンの外観正面図及び図３乃至図５はスロットマシンの動作の概略のフローをそれぞれ示すものである。図６及び図７は停止図柄の配列を示す概念図、図８は本実施の形態による高純増特別遊技制御手段の作動の概略のフローである。
【００３５】
（スロットマシン10）
スロットマシン10は、図２に示すように、四角箱状の筐体11を有する。この筐体11には、遊技者側に向かって臨む表示窓12が形成されており、さらに表示窓12には、三個の回転リール40の図柄61を見ることができる図柄表示窓13が形成されている。そして、スロットマシン10の略中央端部には、メダル投入口14が設けられている。
スロットマシン10の内部には、図示していないが、スロットマシン10の全体の動作を制御するための制御装置20（図１参照）が内蔵されている。
（制御装置20）
上記制御装置20は、図示しないが、ＣＰＵを中心に構成され、ＲＯＭ、ＲＡＭ、Ｉ／Ｏ等を備えている。ここでＣＰＵは、一個に限定されず、二個以上のＣＰＵで制御するようにしてもよい。また、ＣＰＵ、ＲＯＭ、ＲＡＭ及びＩ／Ｏ等は一体化されてワンチップを構成してもよい。そして、ＣＰＵがＲＯＭに記憶されたプログラムを読み込むことで、次の（１）及び（２）の装置を構成する。
【００３６】
（１）遊技制御装置21
（２）演出制御装置22
遊技制御装置21は、スタートスイッチ30及びストップスイッチ50の操作により、回転リール40の回転及び停止を制御するためのものである。演出制御装置22は、ランプ68やスピーカ69等の表示装置66を制御するためのものである。
また、上記遊技制御装置21は主制御装置であり、演出制御装置22は、主制御装置からの信号を受信して作動可能な副制御装置である。
なお、上記遊技制御装置21及び演出制御装置22の詳細については後述する。
【００３７】
（入力側）
上記制御装置20の入力側には、図１に示すように、次のパーツが接続されている。
（１）投入スイッチ15
（２）ベットスイッチ16
（３）精算スイッチ17
（４）スタートスイッチ30
（５）ストップスイッチ50
なお、入力側としては、上記した（１）乃至（５）のパーツに限定されるものではない。
【００３８】
（投入スイッチ15）
投入スイッチ15は、図２に示すように、メダル投入口14の下方に内蔵されたスイッチであって、投入された遊技メダルを検知するためのものである。
（ベットスイッチ16）
ベットスイッチ16は、図２に示すように、回転リール40の下方に位置するスイッチであって、貯留メダル数を減じてメダル投入に代えるためのものである。
（精算スイッチ17）
精算スイッチ17は、図２に示すように、回転リールの斜め下方に位置するスイッチであって、貯留した投入メダルを払い出すためのものである。
【００３９】
（スタートスイッチ30）
スタートスイッチ30は、図２に示すように、回転リール40の斜め下方に位置するレバーであって、遊技メダルの投入若しくはベットスイッチ16の入力を条件に、または、「再遊技（Replay）」時には前遊技から所定時間経過を条件に、リールユニット60の駆動を開始させるためのものである。
なお、ここで、「再遊技（Replay）」とは、当選抽選手段110の抽選により、「再遊技（Replay）」のフラグが成立し、「再遊技（Replay）」の図柄が入賞有効ライン上に揃うことにより、次の遊技において、遊技メダルを新たに投入することなく、再度、遊技を行うことができるものである。
【００４０】
（ストップスイッチ50）
ストップスイッチ50は、リールユニット60の駆動を停止させるためのものである。具体的には、ストップスイッチ50は、図２に示すように、各回転リール40に対応した三個のスイッチから構成され、各回転リール40の下方に１個ずつ配置されているものである。回転リール40に対応したストップスイッチ50の操作により、当該対応した回転リール40が回転を停止するように設定されているものである。
（出力側）
前記制御装置20の出力側には、図１に示すように、次のパーツが接続されている。
【００４１】
（１）リールユニット60
（２）ホッパーユニット65
（３）表示装置66（演出表示部67及びランプ68及びスピーカ69）
（４）報知演出実行装置180
なお、出力側としては、上記した（１）乃至（４）のパーツに限定されるものではない。
（リールユニット60）
リールユニット60は、特に図示しないが枠体に固定或いは支持された三個のモータと、各々のモータの出力軸に固定された三個の回転リール40とから構成されている。そして、各回転リール40は、合成樹脂からなる回転ドラムと、この回転ドラムの周囲に貼付されるテープ状のリールテープ42とを備えている。このリールテープ42の外周面には、複数個（例えば２１個）の図柄61が表示されている。
【００４２】
（ホッパーユニット65）
ホッパーユニット65は、図示しないが、遊技の結果に基づいて、遊技者にメダルを払い出すためのものである。
（表示装置66）
表示装置66は、演出制御装置22の制御により、遊技者に入賞等を報知させるなど、種々の演出を行うものである。具体的には、表示装置66は、演出表示部67及びランプ68及びスピーカ69から構成されている。
演出表示部67は、回転リール40の上方に設けられた窓部であり、ＬＥＤ、ドットマトリックス、液晶画面等を用いて、入賞の報知その他の演出を表示するためのものである。なお、演出表示部67としては上記のものに限られず、例えば演出専用の回転リールを設け、リールの図柄や文字等により演出を表示するようにしても良い。
【００４３】
ランプ68及びスピーカ69は、発光体の点灯又は点滅、入賞音の発生により入賞等を報知するためのものである。
（報知演出実行装置180）
報知演出実行装置180は、報知演出実行手段173の決定に基づいて、遊技者に所定の方法で報知演出を行うためのものである。
具体的には、演出表示部67の、ドットマトリックスや液晶表示画面などを用いて、矢印や数字や図柄を表示したり、特に図示しないが、ストップスイッチ50の内部に発光装置を設け、この発光装置を点滅させて、遊技者に何らかの報知を行うようなものである。
【００４４】
（遊技制御装置21）
次に、遊技制御装置21について詳述する。
遊技制御装置21は、スタートスイッチ30及びストップスイッチ50の操作により、回転リール40の回転及び停止を制御するためのものである。そして、この遊技制御装置21は、次の（１）乃至（３）の手段として機能する。
（１）通常遊技制御手段70
（２）特別遊技制御手段80
（３）当選抽選手段110
なお、前記通常遊技制御手段70は、通常遊技を行わせるために通常遊技に関する制御を行うものであり、前記特別遊技制御手段80は、特別遊技を行わせるために特別遊技に関する制御を行うものである。
【００４５】
また、遊技制御装置21としては、上記した（１）乃至（３）の手段に限定されるものではなく、他の手段を含んでいても良い。
（通常遊技制御手段70）
通常遊技制御手段70は、通常遊技を行わせるためのものである。
すなわち、メダルの投入若しくはベットスイッチ16の押下を条件に、または、「再遊技（Replay）」時には前遊技から所定時間経過を条件に、スタートスイッチ30を操作すると、リールユニット60が駆動され、三個の回転リール40が回転を開始する。
その後、ストップスイッチ50の一個を操作すると、当該対応する回転リール40の回転が停止する。
【００４６】
そして、ストップスイッチ50を三個全て操作し終わると、三個の回転リール40の回転が全て停止する。このとき、表示窓12の入賞有効ライン上に、予め設定された図柄61が停止すると、ホッパーユニット65を介して所定枚数のメダルが払い出される。なお、メダルを払い出す代わりに、クレジットしても良い。
当選には、入賞により遊技メダルの払い出しを伴い、遊技者に利益を付与する小役当選と、この小役当選よりもさらに大きな利益を遊技者に付与する特別当選と、遊技メダルの払い出しは無いが、遊技メダルを新たに投入することなく再度の遊技を行うことができる「再遊技（Replay）」とを備えている。そして、その抽選結果がいずれかの役に当選となった場合、その当選役に対応した当選フラグが成立する。そして、抽選結果が特別当選である場合に、特別当選フラグが成立し、この特別当選フラグ成立中に、リールユニット60の回転リール40の停止図柄61の組み合わせが、予め定められた所定の特別当選図柄61（例えば、入賞有効ライン上に「７」が三個揃うもの）と一致したことを条件に入賞し、遊技者に有利な特別遊技を行わせるように形成されている。一方、抽選により特別当選フラグが成立したが、回転リール40の停止図柄61の組み合わせが特別当選図柄61と一致していない場合には、それ以後の遊技に特別当選フラグ成立の権利が持ち越されるように設定されている。なお、小役の当選フラグは、当選フラグが成立した遊技で入賞させられない場合、当選フラグ成立の権利の次の遊技への持ち越しはない。
【００４７】
また、いずれかの当選フラグが成立中に、対応する当選図柄61を入賞有効ライン上に揃えることができるか否かは、回転リール40の回転速度が一定の場合、ストップスイッチ50のタイミングによるものである。具体的には、ストップスイッチ50を操作した後、１９０ｍｓ以内に回転リール40が停止するように設定されているため、ストップスイッチ50を操作した後、そのまま停止させるか、或いは１９０ｍｓ以内に停止可能な回転リール40の円周上の引き込み可能図柄61、例えば停止図柄から連続する４個の引き込み可能図柄61の中に、対応する当選図柄61が含まれているような場合には、停止するまでの時間を遅らせて、回転リール40は入賞有効ライン上にその当選図柄61を引き込んで停止する。一方、かかる４個の引き込み可能図柄61の中に、対応する当選図柄61が含まれていないような場合には、入賞有効ライン上にその当選図柄61を引き込んで停止することができない。
【００４８】
（特別遊技制御手段80）
特別遊技制御手段80は、抽選手段の抽選結果に基づいて、遊技者に有利な特別遊技を行わせるためのものである。
上記特別遊技としては、大別すると、次のゲームがある。
（１）特定導入遊技（ビックボーナスゲーム、以下ＢＢゲームと省略）
（２）特定遊技（レギュラーボーナスゲーム、以下ＲＢゲームと省略）
（３）特定当選遊技（ジャックゲーム、以下ＪＡＣゲームとする）
なお、特定遊技、例えばＲＢゲームは、特定導入遊技、例えばＢＢゲーム中に行われる場合と、ＢＢゲーム中でないときにも単独で行われる場合がある。また、上記特定当選遊技、いわゆるＪＡＣゲームは、ＲＢゲーム中に行われるものである。
【００４９】
ところで、本実施の形態においては、前記ＢＢゲームとして、通常特別遊技（ノーマルビッグボーナスゲーム、以下ＮＢＢゲームと省略）と高純増特別遊技（スーパービッグボーナスゲーム、以下ＳＢＢゲームと省略）を有している。
ＳＢＢゲームは、ＮＢＢゲームよりも大きな利益を遊技者に付与可能な遊技であって、所定の条件に基づいて開始される。
高純増特別遊技としては、以下のような遊技を設けることができる。
（１）当選抽選手段110の抽選結果に関する情報を、所定の確率で報知する遊技とすることができる。例えば、当選の事実や当選図柄を所定確率で遊技者に報知したり、入賞するために好適なストップスイッチ50の操作タイミングや操作順番を遊技者に報知して、目押しの補助をする遊技などである。
【００５０】
（２）当選抽選手段110の抽選確率を高くした遊技とすることができる。例えば、ＢＢゲーム中の小役当選の確率は、一般遊技中（特別遊技でない）の小役当選確率よりも高く設定されているが、それよりもなお高確率に設定した遊技とすることができる。
（３）特定の当選役について、当選抽選手段110の抽選確率を高くした遊技とすることができる。例えば、再遊技の当選確率を高く設定すれば、いわゆるリプレイタイムとなる。
なお、ＳＢＢゲームとしては、上記遊技に限られない。上記（１）乃至（３）を組み合わせた遊技としてもよい。
【００５１】
特別遊技制御手段80は、図１に示すように、大別すると、次の手段を備える。
（１）特定導入遊技制御手段91（ＢＢゲーム制御手段90）
（２）特定遊技制御手段101（ＲＢゲーム制御手段100）
（３）高純増特別遊技制御手段120
（特定導入遊技制御手段91）
特定導入遊技制御手段91は、ＢＢゲームを制御するためのものである。
具体的には、通常遊技において、図示しないが、例えば「７」等の図柄61が入賞有効ライン上に三個揃うと、ホッパーユニット65を介して、例えば１５枚のメダルが払い出される。このとき、ＢＢゲームが開始される。
【００５２】
ところで、本実施の形態においては、ここで開始されるＢＢゲームは、ＮＢＢゲームかＳＢＢゲームのいずれかである。いずれが開始されるかは、後述する高純増特別遊技制御手段120の決定に基づく。
ＢＢゲームに移行すると、通常遊技と同様に最大３枚のメダルの投入によって開始され、３つの回転リールの回転を各々停止させた際に、入賞有効ライン上に当選図柄が揃っているか否かによって、メダルの払い出しが行われるものである。
したがって、ＢＢゲーム中では、通常遊技と同様に小役を含めた抽選が毎回行われるものである。ただ、このＢＢゲーム中にＲＢゲームに移行するための特定当選図柄が入賞有効ライン上に揃った場合には、その後ＲＢゲームに移行するものである。
【００５３】
なお、通常、ＢＢゲーム中はＲＢゲームへの移行が、例えば最大３回行われることになっているために、１回目のＲＢゲームが終了した後は、また前述したような通常遊技と同様な抽選及び制御が行われるものである。
そして、ＢＢゲームでは、ＢＢゲーム中のＲＢゲームが所定の最大回数、例えば３回か、或いはＢＢゲーム中の通常遊技が所定の最大回数、例えば最大３０回の終了により、ＢＢゲームは終了するものである。
（特定遊技制御手段101）
特定遊技制御手段101は、ＲＢゲームを制御するためのものである。
【００５４】
具体的には、ＲＢゲームに移行すると、メダルが１枚投入となり、回転リール40の所定の図柄61が表示窓12のセンターライン上に揃った場合に入賞となる特定当選遊技が行われるものである。そして、ＲＢゲームでは、入賞するか否かの特定当選遊技が最大１２回行えるものであり、そのうち、最大８回の入賞が可能である。すなわち、最大８回の入賞するか、或いは最大１２回の特定当選遊技の終了により、ＲＢゲームは終了するものである。
（高純増特別遊技制御手段120）
高純増特別遊技制御手段120は、ＳＢＢゲームを制御するためのものである。
【００５５】
ここで、本実施の形態においては、ＳＢＢゲームとして、当選抽選手段110の抽選結果に関する情報を所定の確率で報知する遊技、いわゆるアシスト付きのＢＢゲームを行う場合を例に挙げて説明することとする。
そして、本実施の形態においては、ＳＢＢゲームは、基本的に、ＢＢゲームの当選時に、ＢＢ当選に係る図柄、例えば赤セブンが、複数の入賞有効ライン上に同時成立する場合に開始可能となっているものである。具体的には、各回転リール40の図柄61（赤セブン）が、図６に示したような配列で停止する場合である。
図６において、三つ並んだ長方形は、図柄表示窓13から視認できる回転リール40を示し、丸は図柄61を表す。そして、斜線を施した丸が、ＢＢの当選図柄（赤セブン）を表している。また、Ｌ１乃至Ｌ５は、入賞有効ラインを表す。図６（Ａ）では、ＢＢの当選図柄が有効入賞ラインＬ１及びＬ５上に並んでおり、また図６（Ｂ）では、有効入賞ラインＬ１及びＬ４上に並んでいる。なお、図示した各回転リール40の図柄配置の例（赤セブンは各回転リール40上に図示した個数のみしか存在しない）によれば、赤セブンが、複数の入賞有効ライン上に同時成立する態様はこの二通りしかない。この態様は、各回転リール40上に赤セブンをどのように配置するかにより異なる。
【００５６】
ただし、上記の場合にＮＢＢゲームが開始される場合もあるが、これについては後述する。
なお、ＢＢの当選図柄としてもう一種類、例えば「青セブン」が設けてあり、この「青セブン」が有効入賞ライン上に並んだ場合には、基本的にＮＢＢゲームが開始されるようになっている。ただし、上記の場合にも、ＳＢＢゲームが開始される場合もあるが、これについても後述する。
高純増特別遊技制御手段120は、図１に示すように、次の（１）乃至（４）の手段を有している。
【００５７】
（１）複数ライン許可抽選手段130
（２）停止位置判定手段140
（３）高純増移行抽選手段150
（４）高純増特別遊技決定手段160
なお、高純増特別遊技制御手段120としては、上記した（１）乃至（４）に限定されるものではない。
（複数ライン許可抽選手段130）
複数ライン許可抽選手段130は、当選抽選手段110の当選抽選とは別個に、複数の入賞有効ライン上に特別遊技に係る当選図柄の配列を同時成立させるか否かの許可抽選を行うためのものである。具体的には、ＳＢＢゲームの当選図柄が、図６に示したような配列となるような停止制御を行うか否かを、所定の確率で抽選し決定するものである。
【００５８】
通常、停止制御は、当選抽選手段110の抽選結果と、ストップスイッチ50の操作位置に基づいて行われるものであるが、複数ライン許可抽選手段130の決定は、当該停止制御に修正を加えるものとなる。
例えば、許可抽選の結果が「複数ライン許可」の場合には、ストップスイッチ50の操作位置に基づき、複数ライン上に当選図柄を引き込める場合には、そのように停止制御が行われる。しかし、許可抽選の結果が「複数ライン不許可」の場合には、ストップスイッチ50を複数ライン上に当選図柄を引き込める位置で押下しても、いわゆる蹴飛ばしを行い、複数ライン上に当選図柄が並ぶことはない。
【００５９】
複数ライン許可抽選手段130は、当選抽選手段110による抽選結果がＢＢ当選の場合またはＢＢフラグが成立中の場合に許可抽選を行う。そして、当該結果を、特に図示しないがリール回転停止制御手段に送出して、前述の制御の修正を行わせると共に、後述する高純増移行抽選手段150に送出する。
（停止位置判定手段140）
停止位置判定手段140は、ＢＢ当選時における回転リール40の停止位置を判定するとともに、そのデータを記憶するためのものである。
ここで、「回転リール40の停止位置」は、回転リール40が完全に停止した位置のみならず、ストップスイッチ50の操作位置も含まれる。すなわち、停止位置判定手段140は、どのタイミングでストップスイッチ50を操作したかも判定可能に形成されている。
【００６０】
具体的には、特に図示しないが、リールユニット60に設けられたインデックスセンサーが回転リール40に設けられたスタートインデックスを検知する信号から、回転リール40に表示されている図柄61との関係において回転リール40の現在位置を認識し、回転リール40のどの図柄位置でストップスイッチ50が操作されたか、及び各回転リール40の停止時の図柄を判断する。
停止位置判定手段140の判定結果は、高純増移行抽選手段150に送出される。
（高純増移行抽選手段150）
高純増移行抽選手段150は、前記複数ライン許可抽選手段130及び停止位置判定手段140の決定及び判定結果に基づいて、ＳＢＢゲームを開始するか否かの抽選を行うためのものである。抽選は、例えば抽選テーブルと乱数を用いて行う。
【００６１】
そして、高純増移行抽選手段150は、特に図示しないが、それぞれ抽選確率の異なる複数の抽選テーブルを有している。例えば、ＳＢＢゲームとＮＢＢゲームの領域比が５：５のテーブルと、同比が３：７のテーブルを設ける。前者の方が後者に比べてＳＢＢゲームが当選しやすくなっているが、以下このＮＢＢゲームに対するＳＢＢゲームの比が大きいテーブルを、高確率抽選テーブル、もう一方を低確率抽選テーブルと呼ぶものとする。
なお、抽選を、前記高確率抽選テーブルを用いて行うか低確率抽選テーブルを用いて行うかは、後述する高純増特別遊技決定手段160の決定に基づく。また、高純増移行抽選手段150の抽選結果は、高純増特別遊技決定手段160に送出される。
【００６２】
（高純増特別遊技決定手段160）
高純増特別遊技決定手段160は、前記複数ライン許可抽選手段130及び停止位置判定手段140及び高純増移行抽選手段150を作動させると共に、高純増移行抽選手段150の抽選結果に基づいて、高純増特別遊技を行うか否かの決定をするためのものである。
そして、高純増特別遊技決定手段160の決定は、後述する演出制御装置22に送出される。
（当選抽選手段110）
当選抽選手段110は、予め定めた抽選確率に基づいて当選か否かの当選判定の抽選を行うものである。そして、当選抽選手段110による抽選の結果、当選である場合に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
【００６３】
上記当選抽選手段110は、図１に示すように、大別すると、次の手段を備える。
（１）乱数発生手段111
（２）乱数抽出手段112
（３）当選判定テーブル113
（４）判定手段114
なお、当選抽選手段110としては、上記した（１）乃至（４）に限定されるものではない。
（乱数発生手段111）
乱数発生手段111は、当選抽選用の乱数を所定の領域内（例えば十進数で０〜６５５３５）で発生させるものである。
【００６４】
（乱数抽出手段112）
乱数抽出手段112は、乱数発生手段111が発生する乱数を、所定の条件（例えば、スタートスイッチ30の操作）で抽出するものである。なお、この抽出した乱数を抽出乱数データとする。
なおここで、「乱数発生手段」としては、ソフト乱数としての平均採中法等で乱数を発生させることができるものの他に、一定範囲の数字を高速で１づつ加算するカウンタを用いて構成することもできる。例えば、０〜１６３８３の範囲の数字を、１秒間に７００万回程度順次繰り返すようにしたカウンタが考えられる。そして、「乱数抽出手段」としては、スタートスイッチを押したタイミングでカウンタの数字を読みとることなる。
【００６５】
このように形成すると、「乱数発生手段」では乱数を発生しているわけではないものの、「乱数抽出手段」によって抽出される数字は、あたかも乱数のような分布となる。このように、結果として乱数のような分布を示す数字が得られる手段を、ここでは「乱数発生手段」あるいは「乱数抽出手段」に含めて考えるものとする。
（当選判定テーブル113）
当選判定テーブル113は、乱数発生手段111がとる乱数の全領域中、各当選項目の当選領域を有するものである。
（判定手段114）
判定手段114は、乱数抽出手段112が抽出した抽出乱数データと、当選判定テーブル113の抽選確率データを基に、乱数発生手段111がとる乱数の全領域中の各当選項目の当選領域からなる当選判定領域データとを照合し、当該抽出乱数データが属する当選領域に対応する当選を決定するものである。
【００６６】
（演出制御装置22）
次に、演出制御装置22について詳述する。
演出制御装置22は、ランプ68やスピーカ69等の表示装置66又は報知演出実行装置180を制御するためのものである。具体的には、遊技制御装置21からの諸信号に基づき、ランプ68を点滅させたり、スピーカ69から音声を発声させて、遊技に付随する演出を行わせるためのものである。
そして、演出制御装置22は、図１に示すように、当選報知手段170を有している。  当選報知手段170は、当選抽選手段110の抽選結果に関する情報を、遊技者に所定の確率で報知するためのものであり、具体的には、所定の当選役に当選した事実、どの当選役に当選したかの情報、さらには、ストップスイッチ50の推奨停止操作順番などを報知可能なものである。
【００６７】
なお、演出制御装置22としては、当選報知手段170には限られず、他の手段を有していてもかまわない。
そして、当選報知手段170は、以下の（１）乃至（３）の手段を備えている。
（１）演出データ記憶手段171
（２）報知演出決定手段172
（３）報知演出実行手段173
なお、当選報知手段170は、上記（１）乃至（３）以外の手段を有していてもかまわない。
【００６８】
（演出データ記憶手段171）
演出データ記憶手段171は、報知に関する複数の演出データを記憶しているものである。
ここで、報知演出としては、以下のような態様が可能である。
１．当選図柄の報知
当選した当選役に係る図柄を、遊技者に報知することができる。例えば、小役「ベル」が当選したら、ベルの図柄あるいはベルの文字を、液晶画面やドットマトリックスにより演出表示部67に表示させるものである。
【００６９】
このように、当選図柄を報知することにより、遊技者はその図柄を狙って目押しをすることができるので、入賞させられる可能性が高まる。
２．推奨停止操作タイミングの報知
当選時に、入賞させるのに好適なストップスイッチ50の操作タイミングを遊技者に報知することができる。すなわち、指示通りにストップスイッチ50を操作すると、当選図柄を引き込んで回転リール40を停止させられるようなタイミングを、遊技者に知らせるものである。
具体的には、たとえば、表示窓12に所定の表示ランプを設け、それを点滅させて好適なタイミングを報知したり、ストップスイッチ50内部のランプを点灯させて、いつ操作すべきか知らせたりするものである。
【００７０】
遊技者は、報知されたタイミングでストップスイッチ50を操作することにより、うまく当選図柄を引き込んで回転リール40を停止させ、入賞させられる可能性が高まる。
なお、この推奨停止操作タイミングの報知がなされる場合には、所定の当選役が当選しているということを知らしめるものとなり、一種の当選報知の態様である。
３．推奨停止操作順番の報知
ここで、「推奨停止操作順番」とは、複数の回転リール40の停止操作順番が入賞に重要な影響を与えるように設定されている場合の、当該停止操作順番を意味する。例えば、特定の遊技区間（たとえばＳＢＢゲーム）になると、３つの回転リール40のうち、左、中、右を所定の順番で停止させると、抽選で当選した特定の当選役に係る図柄を入賞有効ライン上に揃えることができ易くなるように設定されているようなものである。
【００７１】
すなわち、遊技者が、推奨停止操作順番どおりにストップスイッチ50を押すことにより、容易に入賞をねらえるものであり、前記推奨停止操作順番が表示された場合には、所定の当選役が当選しているということを知らしめる、一種の当選報知の態様である。
具体的には、演出表示部67に押し順を示す矢印や、押し順の番号などを表示させたり、ストップスイッチ50内部のランプを点灯させて、どれを操作すべきか知らせたりするものである。
なお、報知演出としては、上記のうち、いずれか一の態様で行われるようにしても良いし、上記１乃至３を組み合わせたものとしてもよい。また、上記以外のものを設けてもよい。また、
（報知演出決定手段172）
報知演出決定手段172は、所定条件に応じて、行われるべき報知演出を決定するためのものである。すなわち、高純増特別遊技制御手段120からの信号に基づき、報知演出を行うか否かを決定すると共に、前記演出データ記憶手段171の記憶している演出データの中から、所定のデータを選択決定するためのものである。
【００７２】
具体的には、高純増特別遊技制御手段120の高純増特別遊技決定手段160が、ＳＢＢゲームの開始を決定した場合に、報知演出を行わせる。すなわち、当選抽選手段110からの当選信号に基づき当該当選に対応する演出データを選択し、後述する報知演出実行手段173に送出する。
なお、この報知のなかには、虚偽の報知いわゆるガセ報知が含まれていてもよい。また、当選であっても、報知を行わない場合があってもよい。これらは、たとえば遊技毎に行う抽選により決定することができる。
（報知演出実行手段173）
報知演出実行手段173は、前記報知演出決定手段172の決定に基づき、所定の報知演出実行装置180に報知演出を行わせるためのものである。
【００７３】
たとえば、当選図柄の報知を行う場合には、図柄報知手段としての演出表示部67に所定の当選図柄を表示させ、推奨停止操作タイミングや推奨停止操作順番の報知を行う場合には、推奨停止操作報知装置としての表示ランプやストップスイッチ50内のランプを点滅等させる。
（スロットマシン10の動作）
次に、上記構成を備えたスロットマシンの動作の概略について、図３乃至図５に示したフローを用いて説明する。
先ず、図３に示すステップ１００において、スタートスイッチ30が操作されることにより、スタートスイッチ30がＯＮとなる。そして、次のステップ１０１に進む。
【００７４】
ステップ１０１において、当選抽選手段110により抽選処理が行われる。そして、次のステップ１０２に進む。
ステップ１０２において、回転リール40の回転が開始する。そして、次のステップ１０３に進む。
ステップ１０３において、ストップスイッチ50が操作されることにより、ストップスイッチ50がＯＮとなる。そして、次のステップ１０４に進む。
ステップ１０４において、回転リール40の回転停止処理が行われる。そして、次のステップ１０５に進む。
【００７５】
ステップ１０５において、三個の回転リール40に対応するストップスイッチ50の操作が行われたか否かが判定される。そして、三個の回転リール40に対応するストップスイッチ50の操作が行われたと判定された場合、次のステップ１０６に進む。
ステップ１０６において、当選フラグ成立中に当該当選フラグに対応する当選図柄が入賞有効ライン上に揃ったか否か、すなわち、入賞したか否かが判定される。そして、入賞したと判定された場合、次のステップ１０７に進む。
ステップ１０７において、当選図柄に相当するメダルが払い出される。そして、遊技が終了する。
【００７６】
前記ステップ１０５において、三個の回転リール40に対応するストップスイッチ50の操作が行われていないと判定された場合、ステップ１０３に戻る。
前記ステップ１０６において、入賞していないと判定された場合、ステップ１０７を飛び越して、遊技が終了する。
上述したステップ１０１の抽選処理について、図４のフローを用いて説明する。
ステップ２００において、当選抽選手段110の乱数発生手段111により発生された乱数の中から乱数抽出手段112により乱数が抽出される。そして、次のステップ２０１に進む。
ステップ２０１において、抽出された乱数が乱数抽出手段112の内部に記憶される。そして、次のステップ２０２に進む。
【００７７】
ステップ２０２において、判定手段114により、抽出された乱数と、当選判定テーブル113の当選判定領域データとの比較が行われる。そして、次のステップ２０３に進む。
ステップ２０３において、判定手段114により、抽出された乱数が、当選判定テーブル113のどの当選領域に含まれるか決定され、抽選処理の評価が決定される。そして、次のステップ２０４に進む。
ステップ２０４において、決定された評価に応じた所定の図柄の蹴飛ばしと、所定図柄の引き込みとが設定される。そして、抽選処理が終了する。
上述したステップ１０４の回転リール40の回転停止処理について、図５を用いて説明する。
【００７８】
ステップ３００において、所定の図柄に対して、蹴飛ばしの設定が達成されたか否かが判定される。そして、所定の図柄の蹴飛ばしの設定が達成されていないと判定された場合、次のステップ３０１に進む。
ステップ３０１において、１個の図柄分だけ、回転リール40を回転させる。すなわち、１個の図柄分だけ蹴飛ばしを行う。そして、次のステップ３０２に進む。
ステップ３０２において、上述した１個の図柄分だけ回転リール40を回転させた当該図柄の数がストップスイッチ50の操作後の４個目に該当するか否かが判定される。そして、ストップスイッチ50を操作した後、１図柄ずつ回転リール40を回転させてずらした図柄の数が４個目の場合には、次のステップ３０３に進む。
【００７９】
ステップ３０３において、回転リール40の回転を停止させる。これにより、メダル投入から回転リール40の回転停止までのスロットマシン10の動作が終了する。
前記ステップ３００において、所定の図柄の蹴飛ばしの設定が達成されていると判定された場合、次のステップ３０４に進む。
ステップ３０４において、いずれかの図柄に対して引き込みが設定されているか否かが判定される。そして、いずれかの図柄に対して引き込みが設定されていると判定された場合、次のステップ３０５に進む。
ステップ３０５において、引き込み設定が達成されたか否かが判定される。そして、引き込み設定が達成されたと判定された場合、次のステップ３０３に進む。
【００８０】
前記ステップ３０４において、いずれの図柄に対しても引き込みが設定されていないと判定された場合、ステップ３０３に進む。
前記ステップ３０５において、引き込み設定が達成されていないと判定された場合、ステップ３０１に進む。
前記ステップ３０２において、ストップスイッチ50を操作した後、１図柄ずつ回転リール40を回転させてずらした図柄の数が４個目でない場合には、ステップ３００に戻る。
なお、上述した実施の形態において、回転リール40の停止処理に関してステップ３０１〜ステップ３０５で説明しているが、この例は、いわゆる最小引き込み停止制御の例であり、逆に最大引き込み停止制御としても良い。更には、例えば、ストップスイッチ50を押すタイミングで予め定めたテーブルに従って回転リール40の停止位置を決定する、いわゆるテーブル停止制御の方法によるものでも良いものである。このテーブル停止制御は、当選フラグ成立の有無や、当選フラグ成立中の当選図柄に基づいた複数のテーブルを有し、この複数のテーブルから適宜、遊技状況に応じたテーブルが選択されるものである。
【００８１】
なお、テーブル停止制御においても、当選フラグが成立しているときには、その当選フラグに対応する図柄が入賞有効ライン上に揃うように、予めテーブルの上で停止位置が決定されてあり、いわゆる引き込み設定の一種を備えているものである。また、当選フラグが成立していないときには、他の当選図柄が入賞有効ライン上に揃わないように、予めテーブルの上で停止位置が決定されてあり、いわゆる蹴飛ばし設定の一種を備えているものである。
（高純増特別遊技制御）
次に、高純増特別遊技制御手段120の行うＳＢＢゲーム開始決定について、図８のフローに基づき説明する。
【００８２】
まず、メダル投入又はベットスイッチ16の操作により、高純増特別遊技制御手段120の作動が開始する。そして、図８におけるステップ５００において、当該遊技がＢＢ内部中かどうかを判断する。すなわち、ＢＢフラグが成立しているか否かを判断する。ＢＢ内部中でない場合には、次のステップ５０１に進む。
ステップ５０１において、ＢＢ当選か否かを判断する。すなわち、当選抽選手段110の抽選の結果、ＢＢゲームに当選したかどうかを判断する。ＢＢ当選でない場合には、高純増特別遊技制御手段120は作動を停止する。一方、ＢＢ当選の場合には、次のステップ５０２に進む。
【００８３】
前記ステップ５００において、ＢＢ内部中の場合には、ステップ５０１を飛び越してステップ５０２に進む。
ステップ５０２において、複数ライン許可抽選を行う。すなわち、複数ライン許可抽選手段130が、所定の確率にて許可抽選を行う。そして、次のステップ５０３に進む。
ステップ５０３において、複数ライン許可か否かを判断する。すなわち、複数ライン許可抽選手段130の抽選結果が「複数ライン許可」かどうかを判断する。複数ライン許可の場合には、次のステップ５０４に進む。
ステップ５０４において、複数ライン引き込み停止制御を選択する。すなわち、当選図柄（赤セブン）を図６（Ａ）、（Ｂ）のいずれかのように停止可能な制御を選択する。なお、この選択結果は、リール回転停止制御手段に送出される。そして、ステップ５０６に進む。
【００８４】
前記ステップ５０３において、複数ライン不許可の場合、すなわち、複数ライン許可抽選手段130の抽選結果が「複数ライン不許可」の場合には、ステップ５０５に進む。
ステップ５０５において、複数ライン蹴飛ばし停止制御を選択する。すなわち、当選図柄（赤セブン）を図６のように停止させない制御を選択する。なお、この選択結果は、リール回転停止制御手段に送出される。そして、ステップ５０６に進む。
ステップ５０６において、複数ラインでテンパイかどうかを判断する。すなわち、回転リール40のうち二つが停止した状態で、図６に示すような配列に当選図柄（赤セブン）が停止する可能性があるかどうかを判断する。具体的には、図７（Ａ）において、中リールと右リールが停止しており、左リールが回転中であれば、複数ラインでテンパイ状態である。しかし、中リールと左リールが停止しており、右リールが回転中であれば、複数ラインでテンパイ状態ではない。複数ラインでテンパイの場合には、次のステップ５０７に進む。
【００８５】
ステップ５０７において、複数ラインで引き込み可能な位置でストップスイッチ50を押下したかどうかを判断する。すなわち、最後に停止する回転リール40に対応するストップスイッチ50の押下位置を判断する。複数ラインで引き込み可能な位置でストップスイッチ50を押下した場合には、次のステップ５０８に進む。
ステップ５０８において、赤セブンが複数ラインで停止したかどうかを判断する。この判断は、複数ライン許可抽選の結果が「複数ライン不許可」の場合には、たとえ複数ラインで引き込み可能な位置でストップスイッチ50を押していても、制御により蹴飛ばされるので、セブンが複数ライン上に配列する場合はないため、行われる。すなわち、複数ライン許可抽選の結果が「複数ライン不許可」の場合の遊技者の技量を量る意味づけである。複数ラインで停止した場合には、ＳＢＢゲームの開始を決定する。一方、複数ラインで停止しない場合には、ステップ５１０に進む。
【００８６】
ステップ５１０において、低確率抽選テーブルを用いて高純増移行抽選を行う。そして、次のステップ５１１に進む。
前記５０６において、複数ラインでテンパイとならなかった場合、及び前記ステップ５０７において、複数ラインで引き込み可能な位置でストップスイッチ50を押下しなかった場合には、ステップ５０９に進む。
ステップ５０９において、高確率抽選テーブルを用いて高純増移行抽選を行う。ここで、複数ラインでテンパイとできず、複数ラインで引き込み可能な位置でストップスイッチ50を押下出来なかったということは、目押しの技量が劣るものと推測される。このような遊技者に対して、低確率抽選テーブルよりもＳＢＢゲームが開始可能となる確率が高い抽選テーブルを用いて移行抽選を行うことにより、かかる遊技者にＳＢＢゲーム開始のチャンスを多く与えるような配慮となっている。そして、次のステップ５１１に進む。
【００８７】
ステップ５１１において、抽選結果が「高純増移行」かどうかを判断する。高純増移行の場合には、ＳＢＢゲームの開始を決定し、ＳＢＢゲームが開始される。一方、高純増移行でない場合には、ＳＢＢゲームの開始を決定せず、ＮＢＢゲームが開始される。
このように、以上述べた制御によれば、目押しの技量の劣る遊技者であっても、ＳＢＢゲーム開始のチャンスを与えられるスロットマシンを提供することができる。
ところで、本実施の形態により表される本発明においては、ＮＢＢかＳＢＢかを決定するに当たり、二度の抽選が行われている。すなわち、複数ライン許可抽選手段130の行う許可抽選と、高純増移行抽選手段150の行う移行抽選である。ここで、許可抽選の抽選確率を第一の抽選確率、移行抽選の抽選確率を第二の抽選確率としたとき、第一の抽選確率に基づいて高純増特別遊技が開始されないこととなっても、第二の抽選確率に基づいて高純増特別遊技が開始可能となるので、前記第一の抽選確率を変えなくても、第二の抽選確率の設定を調節することにより、結果として第一の抽選確率が変わったような現象を作り出すことが可能である。すなわち、複数ライン許可抽選手段130の抽選確率は、いわば見せかけの確率となるので、複数ラインとなるか単数ラインとなるか、換言すれば、ＳＢＢとなるかＮＢＢとなるか（ＳＮ比）について遊技者が予見した確率と異なる確率で、ＳＢＢが開始される場合もある。従って、遊技の意外性を高め、遊技者の期待感を高めるものとすることができるものである。
【００８８】
さらに、本実施の形態においては、高純増移行抽選手段150が抽選を行う際に用いる抽選テーブルを、ＳＢＢとなる確率の高いテーブルと低いテーブルとに分けてあり、遊技者の目押しの技量を加味してそれらを使い分けするように形成してある。従って、遊技者がＳＮ比の確率設定のメカニズムを簡単には解明できず、さらに遊技の意外性が高まる。また、目押しの技量の優れた遊技者と、そうでない遊技者との間の、ＳＢＢゲーム開始に関する不均衡を是正することもできる。
そして、前記第一の抽選確率と第二の抽選確率の設定の仕方によっては、例えば許可抽選の見せかけの抽選確率を遊技者側に有利なものとしておいても、移行抽選の確率を調節することにより、ホール側にとって好適なＳＮ比の方向へと補正可能となるものである。
【００８９】
なお、本実施の形態では、高純増特別遊技として、当選報知の行われる遊技について述べてきたが、高純増特別遊技はこれに限定されるものでなく、通常特別遊技よりも遊技者に有利となる可能性を与える遊技であれば、いかなる遊技であってもかまわない。その遊技内容に応じ、当選抽選手段110の抽選確率を変更する抽選確率変更手段や、回転リール40を停止させる際の引き込み、蹴飛ばしの設定を変更する停止制御変更手段などを設け、高純増特別遊技制御手段120の決定に基づき、それらの高純増特別遊技実行手段が作動するように形成すればよい。
本実施の形態は、以上のように構成されているものであるが、このスロットマシンは、遊技機を、複数の図柄を変動表示又は停止表示させるための図柄表示手段、前記図柄表示手段の表示を変動表示させるための図柄変動開始手段、前記図柄表示手段の表示を停止表示させるための図柄変動停止手段、当選役の抽選を行うための当選抽選手段、前記当選抽選手段による抽選の結果、所定の当選役に当選し、複数の前記図柄表示手段をすべて停止表示させた状態で、正面側から視認可能な複数の図柄が、入賞有効ライン上に配列することにより入賞となるようにした遊技制御手段、通常遊技を制御するための通常遊技制御手段、特定の入賞あるいは抽選結果に基づいて開始する特別遊技を制御するための特別遊技制御手段、前記特別遊技において、通常特別遊技を制御するための通常特別遊技制御手段、複数の入賞有効ライン上に特別遊技に係る当選図柄の配列を同時成立させるか否かの抽選を行う複数ライン許可抽選手段、前記複数ライン許可抽選手段が第一の抽選確率にて行った抽選の結果が複数ライン不許可となり、若しくは、前記図柄変動停止手段の操作により複数の入賞有効ライン上に特別遊技に係る当選図柄の配列を同時成立させられない場合に、前記高純増特別遊技を開始するか否かの抽選を第二の抽選確率にて行うものであり、前記複数ライン許可抽選手段が行った抽選の結果が複数ライン不許可となったことにより、前記図柄変動停止手段の操作によって複数の入賞有効ライン上に特別遊技に係る当選図柄の配列を同時成立させられない場合であって、複数の入賞有効ライン上に特別遊技に係る当選図柄の配列を同時成立させることが可能なタイミングで前記図柄変動停止手段の操作が行われなかった場合には、複数の入賞有効ライン上に特別遊技に係る当選図柄の配列を同時成立させることが可能なタイミングで前記図柄変動停止手段の操作が行われたにもかかわらず複数の入賞有効ライン上に特別遊技に係る当選図柄の配列を同時成立させることができなかった場合よりも高い抽選確率で、前記高純増特別遊技を開始するか否かの抽選を行う高純増移行抽選手段、及び、前記特別遊技において、通常特別遊技よりも大きな利益を遊技者に付与可能な遊技であり、当選抽選手段の抽選の結果特別遊技に当選し、前記複数ライン許可抽選手段の抽選の結果が、複数ライン許可となり、かつ、前記図柄変動停止手段の操作により、複数の入賞有効ライン上に特別遊技に係る当選図柄の配列が同時成立した場合に開始されるともに、特別図柄に係る当選図柄の配列が単一の入賞有効ライン上に成立する場合でも、所定の確率で開始可能な高純増特別遊技を制御するための高純増特別遊技制御手段として機能させるための遊技機用プログラムによって制御することができる。
【００９０】
さらに、前記遊技用プログラムを記憶したコンピュータ読み取り可能な記憶媒体を用いて制御することができる。
ここで、前記図柄表示手段とは、複数の図柄を変動表示又は停止表示させるための手段であって、回転リール40を用いたものでもよいし、液晶ディスプレイやＣＲＴ等の画像表示装置に複数の図柄を順次表示させるようにしたものでもよい。
また、前記遊技機用プログラムを用いてスロットマシンを制御する場合には、ホッパーユニット65を介して遊技者にメダルを払い出すように形成することができる。一方、前記遊技機用プログラムを用いて、業務用若しくは家庭用のテレビゲーム機を制御しようとする場合には、現実の遊技メダルの払い出しは行えないので、例えば液晶ディスプレイやＣＲＴ等の画像表示装置に、獲得メダル数の枚数表示をしたり、メダルの増減がわかるような絵（動画でも静止画でもよい）を表示するように形成することができる。
【図面の簡単な説明】
【００９１】
【図１】本発明の実施の形態であって、スロットマシンの入力、制御及び出力を示すブロック図である。
【図２】本発明の実施の形態であって、スロットマシンを示す外観正面図である。
【図３】本発明の実施の形態であって、スロットマシンの動作の概略を示すフローである。
【図４】本発明の実施の形態であって、スロットマシンの動作のうち、抽選処理の概略を示すフローである。
【図５】本発明の実施の形態であって、スロットマシンの動作のうち、回転リールの回転停止処理の概略を示すフローである。
【図６】本発明の実施の形態であって、回転リールの図柄配列を示す概念図である。
【図７】本発明の実施の形態であって、回転リールの図柄配列を示す概念図である。
【図８】本発明の実施の形態であって、高純増特別遊技制御の概要を示すフローである。
【符号の説明】
【００９２】
10  スロットマシン                  11  筺体
12  表示窓                          13  図柄表示窓
15  投入スイッチ                    16  ベットスイッチ
17  精算スイッチ                    20  制御装置
21  遊技制御装置                    22  演出制御装置
30  スタートスイッチ                40  回転リール
42  リールテープ                    50  ストップスイッチ
60  リールユニット                  65  ホッパーユニット
66  表示装置                        67  演出表示部
68  ランプ                          69  スピーカ
70  通常遊技制御手段                80  特別遊技制御手段
91  特定導入遊技制御手段           101  特定遊技制御手段
110  当選抽選手段                   111  乱数発生手段
112  乱数抽出手段                   113  当選判定テーブル
114  判定手段                       115  当選図柄抽選手段
120  高純増特別遊技制御手段         130  複数ライン許可抽選手段
140  停止位置判定手段               150  高純増移行抽選手段
160  高純増特別遊技決定手段         170  当選報知手段
180  報知演出実行装置
【図１】
2006320743.tif 000003
【図２】
2006320743.tif 000004
【図３】
2006320743.tif 000005
【図４】
2006320743.tif 000006
【図５】
2006320743.tif 000007
【図６】
2006320743.tif 000008
【図７】
2006320743.tif 000009
【図８】
2006320743.tif 000010